(57)【要約】      （修正有）【課題】キーとカードを別々の２つのポケットに収納すると共に使いやすく丈夫な構造としたキー・カードケースを提供する。【解決手段】キーを第１のポケット１１に収納し、カードを第２のポケットに収納し、第１のポケット１１の線ファスナー１１ａは本体１０の一方の長辺と一方の短辺の一部に亘って形成され、第２のポケットの線ファスナー１２ａは本体の他方の長辺と他方の短辺の一部に亘って形成され、両ファスナーの両端を本体１０の内部に埋め込み、線ファスナー１１ａ，１２ａが長辺の端部から短辺の端部に向けてスライダー１１ｂ，１２ｂで開く構成としたキー・カードケースである。【選択図】図１
0003220819.tif 000002
【実用新案登録請求の範囲】
【請求項１】
キーを収納する第１のポケットと、カードを収納する第２のポケットとを本体に有するキー・カードケースであって、
前記第１のポケットは、前記本体の一方の長辺と一方の短辺に亘って開閉する第１の線ファスナーと、前記第１の線ファスナー上を前記一方の長辺の端部から開くよう移動する第１のスライダーとを備え、
前記第２のポケットは、前記本体の他方の長辺と他方の短辺に亘って開閉する第２の線ファスナーと、前記第２の線ファスナー上を前記他方の長辺の端部から開くよう移動する第２のスライダーとを備え、
前記第１の線ファスナーの下止を前記本体の一方の短辺の途中で内側に埋め込み、
前記第２の線ファスナーの下止を前記本体の他方の短辺の途中で内側に埋め込むことを特徴とするキー・カードケース。
【請求項２】
第１の線ファスナーの上止を本体の他方の短辺端部で内側に埋め込み、
第２の線ファスナーの上止を前記本体の一方の短辺端部で内側に埋め込むことを特徴とする請求項１記載のキー・カードケース。
【請求項３】
第１のポケット内に、キーを保持するリング付きのキーチェーンを取り付けたことを特徴とする請求項１又は２記載のキー・カードケース。
【請求項４】
第２のポケットの内側に内ポケットを設けたことを特徴とする請求項１乃至３のいずれか記載のキー・カードケース。
【請求項５】
本体の一方の短辺にＤカンを取り付けたことを特徴とする請求項１乃至４のいずれか記載のキー・カードケース。
【考案の詳細な説明】
【技術分野】
【０００１】
本考案は、キーとカードを別々の２つのポケットに収納するケースに係り、特に、構造を丈夫にして使いやすくしたキー・カードケースに関する。
【背景技術】
【０００２】
［先行技術の説明］
従来、自動車のキー等を収納するキーケースがある。
また、キーだけでなく、カードも収納できるキー・カードケースもあった。
【０００３】
［従来のキー・カードケース：図５，６］
従来のキー・カードケース（従来のケース）について図５，６を参照しながら説明する。図５は、従来のケースの第１のポケットを開けた状態の図であり、図６は、従来のケースの第２のポケットを開けた状態の図である。
従来のケースは、図５，６に示すように、本体２０に２つのポケット（第１のポケット２１，第２のポケット２２）を備え、それぞれを線ファスナー２１ａ，２２ａで開閉するようになっている。
線ファスナー２１ａ，２２ａには、開閉動作のためのスライダー２１ｂ，２２ｂが設けられている。
【０００４】
２つのポケット２１，２２は、それぞれ独立した構成で、両者が内部で繋がっているものではない。
本体２０の短辺の一方には、ストラップ等を付けることができるＤカン２３が取り付けられている。
【０００５】
また、第１のポケット２１の内側には、メモ等の紙を収納する内ポケット２１ｃが形成されている。
また、第２のポケット２２の内側には、車のキー等を保持するチェーン式のキーホルダーである２重リング付キーチェーン２４が取り付けられている。
【０００６】
ここで、線ファスナーの構造を簡単に説明する。
線ファスナーは、左右のテープに取り付けられたエレメントがスライダーの動作によってかみ合って閉じられ、また開放されるものである。
そして、エレメントの一方の端部では、テープを含めて開かないよう固定すると共にスライダーを止める下止が設けられ、また、そのエレメントの他方の端部には、スライダーを止める上止が設けられている。
尚、下止は、エレメント同士を固定するため、上止に比べて長く大きい構造となっている。
【０００７】
従来のケースでは、図５に示すように、スライダー２１ｂが本体２０の左側長辺左下にあるときが、第１のポケット２１が開いた状態となり、図６に示すように、スライダー２１ｂが本体２０の上側短辺中央にあるときが、第１のポケット２１が閉じた状態となる。
【０００８】
また、図５に示すように、スライダー２２ｂが本体２０の右側長辺右上にあるときが、第２のポケット２２が閉じた状態となり、図６に示すように、スライダー２２ｂが本体２０の下側短辺中央にあるときが、第２のポケット２２が開いた状態となる。
【０００９】
そして、上止は、下止に比べて長くなく小さいため、本体の内側に容易に隠し込むことができるが、下止は、上止に比べて長く大きいため、角部で収納できず、収納するためには線ファスナーの終端部分に特定の長さの本体部分がなければ本体の内側に隠し込むことができない。
【００１０】
そのため、従来のケースでは、図６に示すように、本体２０の左側長辺左下に線ファスナー２１ａの下止２１ｄが、本体２０の内側に隠し込まれず、外側に露出した状態となっている。
これに対して、図５に示すように、線ファスナー２２ａの本体２０の下側短辺の終端部は、その短辺の半分が線ファスナー２２ａで、残り半分に下止を隠し込むことができる本体部分となっているので、下止を本体２０内に隠し込むことができる。
【００１１】
［関連技術］
尚、関連する先行技術としては、実用新案登録第３２１１８７６号公報「キーケース」（特許文献１）、実用新案登録第３２０６７０６号公報「リール付きパス・キーケース」（特許文献２）がある。
【００１２】
特許文献１には、ファスナー開閉でキーを収納するポケットを備え、更にキーをリールで引き出すことができるキーケースが記載されている。
特許文献２には、キーを隠し、パスも名前等が読み取られないようにして防犯効果を高め、更にパスとキーの引き出しを容易に行うことができるリール付きパス・キーケースが記載されている。
【先行技術文献】
【特許文献】
【００１３】
【特許文献１】実用新案登録第３２１１８７６号公報
【特許文献２】実用新案登録第３２０６７０６号公報
【考案の概要】
【考案が解決しようとする課題】
【００１４】
しかしながら、従来のキーケースでは、第１のポケットの線ファスナーの終端に下止が露出するようになるので、その部分が引っ掛かって壊れやすくなるという問題点があった。
【００１５】
尚、特許文献１，２には、２つのポケットを備え、双方の線ファスナーの下止を露出させないように工夫することは記載されていない。
【００１６】
本考案は上記実状に鑑みて為されたもので、キーとカードを別々の２つのポケットに収納すると共に使いやすく丈夫な構造としたキー・カードケースを提供することを目的とする。
【課題を解決するための手段】
【００１７】
上記従来例の問題点を解決するための本考案は、キーを収納する第１のポケットと、カードを収納する第２のポケットとを本体に有するキー・カードケースであって、第１のポケットが、本体の一方の長辺と一方の短辺に亘って開閉する第１の線ファスナーと、第１の線ファスナー上を一方の長辺の端部から開くよう移動する第１のスライダーとを備え、第２のポケットが、本体の他方の長辺と他方の短辺に亘って開閉する第２の線ファスナーと、第２の線ファスナー上を他方の長辺の端部から開くよう移動する第２のスライダーとを備え、第１の線ファスナーの下止を本体の一方の短辺の途中で内側に埋め込み、第２の線ファスナーの下止を本体の他方の短辺の途中で内側に埋め込むことを特徴とする。
【００１８】
本考案は、上記キー・カードケースにおいて、第１の線ファスナーの上止を本体の他方の短辺端部で内側に埋め込み、第２の線ファスナーの上止を本体の一方の短辺端部で内側に埋め込むことを特徴とする。
【００１９】
本考案は、上記キー・カードケースにおいて、第１のポケット内に、キーを保持するリング付きのキーチェーンを取り付けたことを特徴とする。
【００２０】
本考案は、上記キー・カードケースにおいて、第２のポケットの内側に内ポケットを設けたことを特徴とする。
【００２１】
本考案は、上記キー・カードケースにおいて、本体の一方の短辺にＤカンを取り付けたことを特徴とする。
【考案の効果】
【００２２】
本考案によれば、第１のポケットには、本体の一方の長辺と一方の短辺に亘って開閉する第１の線ファスナーと、第１の線ファスナー上を一方の長辺の端部から開くよう移動する第１のスライダーとを備え、第２のポケットには、本体の他方の長辺と他方の短辺に亘って開閉する第２の線ファスナーと、第２の線ファスナー上を他方の長辺の端部から開くよう移動する第２のスライダーとを備え、第１の線ファスナーの下止を本体の一方の短辺の途中で内側に埋め込み、第２の線ファスナーの下止を本体の他方の短辺の途中で内側に埋め込むキー・カードケースとしているので、２つのポケットを利用でき、線ファスナーの下止を露出させることがないため下止を引っ掛けて破損することがなく、丈夫な構成にできる効果がある。
【図面の簡単な説明】
【００２３】
【図１】本ケースの第１のポケットを開けた状態の図である。
【図２】本ケースの第２のポケットを開けた状態の図である。
【図３】本ケースの表面説明図である。
【図４】本ケースの裏面説明図である。
【図５】従来のケースの第１のポケットを開けた状態の図である。
【図６】従来のケースの第２のポケットを開けた状態の図である。
【考案を実施するための形態】
【００２４】
本考案の実施の形態について図面を参照しながら説明する。
［実施の形態の概要］
本考案の実施の形態に係るキー・カードケース（本ケース）は、キーを第１のポケットに収納し、カードを第２のポケットに収納し、第１のポケットの線ファスナーは本体の一方の長辺と一方の短辺の一部に亘って形成され、第２のポケットの線ファスナーは本体の他方の長辺と他方の短辺の一部に亘って形成され、両ファスナーの両端を本体の内部に埋め込み、線ファスナーが長辺の端部から短辺の端部に向けてスライダーで開く構成としたものであり、２つのポケットをキー用とカード用に利用でき、線ファスナーの端部にストッパーの金具（上止及び下止）を露出させることがないため、その上止及び下止を引っ掛けて破損することがなく、丈夫な構成とすることができる。
【００２５】
また、本ケースは、第１のポケットの線ファスナーの本体長辺の端部からスライダーで開くものであるから、線ファスナーを半部程度開くだけでキーを取り出すことができ、使い易くしたものである。
【００２６】
［本ケース：図１〜４］
次に、本ケースについて図１〜４を参照しながら説明する。図１は、本ケースの第１のポケットを開けた状態の図であり、図２は、本ケースの第２のポケットを開けた状態の図であり、図３は、本ケースの表面説明図であり、図４は、本ケースの裏面説明図である。
本ケースは、図１，２に示すように、本体１０に２つのポケット（第１のポケット１１，第２のポケット１２）を備え、それぞれを線ファスナー１１ａ，１２ａで開閉するようになっている。
【００２７】
第１のポケット１１の線ファスナー１１ａは、図１，３に示すように、本体１０の左側長辺の左下から本体１０の上側短辺の中央部分までＬ字形状で取り付けられ、第２のポケット１２の線ファスナー１２ａは、図２，３に示すように、本体１０の右側長辺の右上から本体１０の下側短辺の中央部分までＬ字形状で取り付けられている。
【００２８】
第１のポケット１１の線ファスナー１１ａには、開閉動作のためのスライダー１１ｂが設けられ、第２のポケット１２の線ファスナー１２ａには、開閉動作のためのスライダー１２ｂが設けられている。
【００２９】
線ファスナー１１ａを開く場合は、本体１０の左側長辺の左下から本体１０の上側短辺の中央部分までスライダー１１ｂを動作させ、閉じる場合は、反対方向にスライダー１１ｂを動作させる。
【００３０】
また、線ファスナー１２ａを開く場合は、本体１０の右側長辺の右上から本体１０の下側短辺の中央部分までスライダー１２ｂを動作させ、閉じる場合は、反対方向にスライダー１２ｂを動作させる。
【００３１】
２つのポケット１１，１２は、それぞれ独立した構成で、両者が内部で繋がっているものではない。
ただ、それぞれのポケットの収容スペースを広くするために、本体１０の内側中央では、第１のポケット１１の内側面が線ファスナー１１ａのテープに取り付けられ、第２のポケット１２の内側面が線ファスナー１２ａのテープに取り付けられ、内側で接している。
【００３２】
そして、本体１０の短辺の一方には、ストラップ等を付けることができるＤカン１３が取り付けられている。
伸び縮みするストラップであれば、使用に便利であり、紛失を防ぐことができる。
【００３３】
また、第１のポケット１１の内側には、車のキー等を保持するチェーン式のキーホルダーである２重リング付キーチェーン１４が取り付けられている。
当該キーチェーン１４は、５０ｍｍの長さで、キーを本ケースから外すことなく、キーを使用できる。
図１の本体１０の上側短辺の内側にはＤカン１３より小型のＤカンが形成され、その小型Ｄカンにキーチェーン１４が取り付けられている。小型Ｄカンには、家の鍵を取り付けることができる。
【００３４】
また、第２のポケット１２の内側には、メモ等の紙を収納する内ポケット１２ｃが本体１０の長辺に平行に側面用生地に形成されている。
従って、第２のポケット１２には、カード、レシート、メモ等を収納でき、また、小銭を収納してもよい。
【００３５】
ここで、図１に示すように、スライダー１１ｂが本体１０の上側短辺中央にあるときが、第１のポケット１１が開いた状態となり、図２に示すように、スライダー１１ｂが本体１０の左側長辺左下にあるときが、第１のポケット１１が閉じた状態となる。
【００３６】
また、図１に示すように、スライダー１２ｂが本体１０の右側長辺右上にあるときが、第２のポケット１２が閉じた状態となり、図２に示すように、スライダー１２ｂが本体１０の下側短辺中央にあるときが、第２のポケット１２が開いた状態となる。
【００３７】
線ファスナー１１ａの開閉の仕方が、従来とは反対となっており、第１のポケット１１にキーを収納し、第２のポケット１２にカード等を収納するよう役割を逆にした点も、従来とは異なるものである。
【００３８】
更に、本ケースの特徴部分として、線ファスナーにおいて、上止及び下止の金属部分が外側に露出せず、本体１０の内側に埋め込まれ（隠し込まれ）ている。
具体的には、第１の線ファスナー１１ａの開閉方向を従来ケースと逆としたことで、上止を本体１０の下側短辺の端部に埋め込み、下止を上側短辺の中央部分に埋め込むようにしているので、下止を外側に露出させることがなく、露出した下止によって破損等が発生することを防止できる。
【００３９】
また、第２の線ファスナー１２ａでは、上止を本体１０の上側短辺の端部に埋め込み、下止を下側短辺の中央部分に埋め込むようにしているので、下止を外側に露出させることがなく、露出した下止によって破損等が発生することを防止できる。
【００４０】
［使用方法］
次に、本ケースの使用方法を説明する。
本ケースは、図３，４の状態で２つのポケット１１，１２が閉じた状態にあり、スライダー１１ｂを本体１０の長辺下側から上側に線ファスナー１１ａ上で動作させて第１のポケット１１を開くと、キーチェーン１４を引き出すことができ、そのキーチェーン１４の先端の２重リングにキーが取り付けられていると、そのキーを取り出すことが可能となる。この場合、線ファスナー１１ａを長辺の半分程度開いてもキーを取り出すことができ、使い易い。
【００４１】
また、スライダー１２ｂを本体１０の長辺上側から下側に線ファスナー１２ａ上で動作させて第２のポケット１２を開くと、カード等の小物を取り出すことができる。
尚、スライダー１２ｂを長辺の下側まで開けないと、小物が飛び出ることがない。
【００４２】
［実施の形態の効果］
本ケースによれば、キーを第１のポケット１１に収納し、カードを第２のポケット１２に収納し、第１のポケット１１の線ファスナー１１ａは本体１０の一方の長辺と一方の短辺の一部に亘って形成され、第２のポケット１２の線ファスナー１２ａは本体の他方の長辺と他方の短辺の一部に亘って形成され、両ファスナーの両端を本体１０の内部に埋め込み、線ファスナー１１ａ，１２ａが長辺の端部から短辺の端部に向けてスライダー１１ｂ，１２ｂで開く構成としたものであり、２つのポケットを利用でき、線ファスナー１１ａ，１２ａの端部にストッパーの上止及び下止を露出させることがないため、その上止及び下止を引っ掛けて破損することがなく、使い易く丈夫な構成とすることができる効果がある。
【産業上の利用可能性】
【００４３】
本考案は、キーとカードを別々の２つのポケットに収納すると共に使いやすく丈夫な構造としたキー・カードケースに適している。
【符号の説明】
【００４４】
１０，２０…本体、  １１，２１…第１のポケット、  １２，２２…第２のポケット、  １１ａ，１２ａ，２１ａ，２２ａ…線ファスナー、  １１ｂ，１２ｂ，２１ｂ，２２ｂ…スライダー、  １２ｃ，２１ｃ…内ポケット、  １３，２３…Ｄカン、  １４、２４…キーチェーン、  ２１ｄ…下止
【図１】
0003220819.tif 000003
【図２】
0003220819.tif 000004
【図３】
0003220819.tif 000005
【図４】
0003220819.tif 000006
【図５】
0003220819.tif 000007
【図６】
0003220819.tif 000008